(57)【要約】【課題】キャラクタ商品等に好適な多様な表現で繊細で華やかな装飾ワッペンを得る。【解決手段】背景部Ｐ１と背景柄要素Ｐ２とをインクジェットプリントにより印刷して形成する。背景部にはグラデーションを用いる。キャラクタ部Ｓ１と縁取部Ｓ２とを刺繍により形成する。【選択図】図１
0003103050.tif 000002
【実用新案登録請求の範囲】
【請求項１】
シート状の生地に、第１の柄が印刷により形成され、第２の柄が刺繍により形成されていることを特徴とする装飾ワッペン。
【請求項２】
前記第１の柄がグラデーションの柄を有することを特徴とする請求項１に記載の装飾ワッペン。
【請求項３】
前記第２の柄が動物または人物のキャラクタの柄を含んでおり、前記第１の柄が該第２の柄の背景の柄であることを特徴とする請求項１または請求項２に記載の装飾ワッペン。
【考案の詳細な説明】
【技術分野】
【０００１】
本考案は、図柄や文字等を形成した装飾ワッペンに関する。
【背景技術】
【０００２】
従来、装飾ワッペンとして、不織布に印刷（プリント）により図柄や文字を形成したプリントワッペンや、布地等の基布に刺繍により図柄や文字を形成した刺繍ワッペンなどがある。これらは、それぞれの分野で技術が確立されて個々に商品化もされている。プリントワッペンは印刷技術の進歩により様々なパターンを形成することができる。また、刺繍ワッペンは、刺繍部分がある程度の立体感を持つこと、刺繍糸が方向性を持つこと、あるいは刺繍糸の光沢等により、プリントワッペンにはない独特の質感が得られ、また華やかになる。
【考案の開示】
【考案が解決しようとする課題】
【０００３】
刺繍ワッペンは上記のようにプリントワッペンよりも優れた点もあるが、刺繍で図柄や文字等を形成する場合に、色数を多くしようとすると刺繍糸の種類もその分増えるのでコスト高となったり手間を要する。また、刺繍ではグラデーションの表現がきわめて困難であるなどの制限があり、多様な表現や繊細で華やかなワッペンを得る表現とするのが困難である。
【０００４】
本考案は、多様な表現で繊細で華やかな装飾ワッペンを提供することを課題とする。
【課題を解決するための手段】
【０００５】
本考案による請求項１の装飾ワッペンは、シート状の生地に、第１の柄が印刷により形成され、第２の柄が刺繍により形成されていることを特徴とする。
【０００６】
本考案による請求項２の装飾ワッペンは、請求項１に記載の装飾ワッペンであって、前記第１の柄がグラデーションの柄を有することを特徴とする。
【０００７】
本考案による請求項３の装飾ワッペンは、請求項１または請求項２に記載の装飾ワッペンであって、前記第２の柄が動物または人物のキャラクタの柄を含んでおり、前記第１の柄が該第２の柄の背景の柄であることを特徴とする。
【考案の効果】
【０００８】
請求項１によれば、印刷に用いるインク等の液体の色による装飾と、刺繍糸の色による装飾とによって、また、印刷技法と装飾技法とによって、これらの相乗効果により、多様な表現で繊細で華やかな装飾ワッペンを得ることができる。
【０００９】
請求項２によれば、請求項１と同様な効果が得られるとともに、印刷のグラデーション部分による淡い表現と、これと対照的な刺繍部分による強調された表現とにより、柄に深みのある装飾ワッペンを得ることができる。
【００１０】
請求項３によれば、請求項２と同様な効果が得られるとともに、キャラクター商品に適した装飾ワッペンを得ることができる。
【考案を実施するための最良の形態】
【００１１】
以下、図面を参照して本考案の実施の形態の具体例を説明する。図１は実施の形態の装飾ワッペンの正面図、図２は同装飾ワッペンの製造過程を説明する図、図３は同製造工程におけるプリント片と刺繍柄の例を示す図である。なお、この例では円形の装飾ワッペンの例を示す。図２の(i) に示すように、先ず、目の細かい布製の基布１に対して所定のプリント柄Ｐを印刷する。この例では６面付けでプリント柄Ｐが印刷されている。なお、この実施の形態では印刷技術としてインクジェットプリントの技術を使用する。
【００１２】
次に、(i) のように印刷された基布１に対してプリント柄Ｐの部分を型抜きし、(ii)のようなプリント片１′を得る。このプリント片１′は例えば図３(A) のような柄及び形状となる。このプリント片１′は基布１上に背景部Ｐ１と背景柄要素Ｐ２が印刷されており、背景部Ｐ１は例えば薄いピンク色で、矢印αのＡからＢの方向にかけて次第に白くなるようなグラデーションのパターンとなっている。また、背景柄要素Ｐ２は青、黄、赤等の各色により立体的な球形のパターンであり、例えばシャボン玉の柄となっている。
【００１３】
次に、図２の(iii) のように、刺繍枠１０に張られた不織布２上の所定の位置にプリント片１′を例えば糊等により仮止めして載置する。なお、この刺繍枠１０は、刺繍模様を量産するのに適した多頭式刺繍機において、テーブル上でＸＹ移動動作されるものであり、このＸＹ移動動作とミシンヘッドの針落ち動作とにより、プリント片１′上に刺繍が施される。
【００１４】
図３(B) はこの刺繍柄の一例を示す図であり、例えばアニメーション等における動物のキャラクタがシャボン玉を吹いている態様のキャラクタ部Ｓ１と、プリント片１′の周囲を囲う縁取部Ｓ２とを刺繍する。刺繍行程では、キャラクタ部Ｓ１を先に刺繍し、最後に縁取部Ｓ２を刺繍する。この縁取部Ｓ２を刺繍することにより不織布２に対して、この縁取部Ｓ２の外周に細かなミシン目が入る。これにより、ミシン目の内部を簡単に取り外すことができ、図１に示す装飾ワッペン３が得られる。
【００１５】
図１のように、装飾ワッペン３は、縁取部Ｓ２を外枠としてその内部に背景部Ｐ１と背景柄要素Ｐ２が印刷され、その上（手前）にキャラクタ部Ｓ１が刺繍されたものとなる。そして、背景部Ｐ１によるグラデーションの入った淡い色を背景とし、動物のキャラクタがシャボン玉を吹いている図柄となる。なお、この実施の形態では背景部Ｐ１と背景柄要素Ｐ２が請求項の「第１の柄」に相当し、キャラクタ部Ｓ１及び縁取部Ｓ２が請求項の「第２の柄」に相当する。
【００１６】
なお、この装飾ワッペン３の裏には、例えば、アイロン等で他の素材に熱貼着できるような貼着層を設けたり、安全ピンやマジックテープ（登録商標）を取り付ける等の処理を適宜することができる。
【００１７】
以上の実施の形態では、印刷技術としてインクジェットプリントを適用した場合について説明したが、印刷技術としては、転写プリント、捺染プリント、昇華転写プリント、エアーガンプリント、手書きプリント等、各種の印刷技術を適用できる。
【００１８】
また、以上の実施の形態では円形の装飾ワッペンの例を説明したが、形状は円形に限らず様々な形状に適用できることはいうまでもない。また、以上の実施形態では刺繍の柄が動物のキャラクタの柄の例について説明したが、人物のアニメーションキャラクタ等の柄でもよく、背景部を空や山や建物など各種の景色の印刷柄とし、その前にキャラクタ等の柄を刺繍してもよい。
【００１９】
実施形態では、基布１が請求項の「生地」に対応するが、印刷及び刺繍を施す素材（すなわち生地）は布、不織布に限らず、紙や合成紙など少なくとも印刷と刺繍ができる各種のシート状のものであれはよい。また、印刷する図柄や刺繍する柄は実施形態のものに限らず様々な柄とすることができる。
【図面の簡単な説明】
【００２０】
【図１】本考案の実施の形態の装飾ワッペンの正面図である。
【図２】同装飾ワッペンの製造過程を説明する図である。
【図３】同製造工程におけるプリント片と刺繍柄の例を示す図である。
【符号の説明】
【００２１】
１…基布、１′…プリント片、２…不織布、３…装飾ワッペン、１０…刺繍枠、Ｐ１…背景部、Ｐ２…背景柄要素、Ｓ１…キャラクタ部、Ｓ２…縁取部
【図１】
0003103050.tif 000003
【図２】
0003103050.tif 000004
【図３】
0003103050.tif 000005